(57)【要約】【課題】スコアラインが既に形成されたフェース面に対して、スコアラインの形成精度に与える影響を低減してブラスト処理を施すこと。【解決手段】スコアラインが形成されたフェース面をブラスト処理するゴルフクラブヘッドの処理方法において、ブラスト処理の前に、前記スコアラインをマスキング材で埋める工程と、ブラスト処理の後に、前記マスキング材を前記スコアラインから除去する工程と、を備えたことを特徴とする。【選択図】図２
2011245133.tif 000002
【特許請求の範囲】
【請求項１】
スコアラインが形成されたフェース面をブラスト処理するゴルフクラブヘッドの処理方法において、
ブラスト処理の前に、前記スコアラインをマスキング材で埋める工程と、
ブラスト処理の後に、前記マスキング材を前記スコアラインから除去する工程と、
を備えたことを特徴とするゴルフクラブヘッドの処理方法。
【請求項２】
前記マスキング材が、ワックスであることを特徴とする請求項１に記載のゴルフクラブヘッドの処理方法。
【請求項３】
ブラスト処理後の前記フェース面の表面粗さが、算術平均粗さで０．５μｍ以上４．０μｍ以下であることを特徴とする請求項１に記載のゴルフクラブヘッドの処理方法。
【請求項４】
請求項１に記載の処理方法が施されたゴルフクラブヘッド。
【請求項５】
スコアラインが形成されたフェース面にブラスト処理が施されたゴルフクラブヘッドにおいて、
前記スコアラインの縁に前記ブラスト処理の痕跡が存在する一方、前記スコアラインの内壁には前記ブラスト処理の痕跡が存在しないことを特徴とするゴルフクラブヘッド。
【発明の詳細な説明】
【技術分野】
【０００１】
本発明はゴルフクラブヘッドのフェース面のブラスト処理に関する。
【背景技術】
【０００２】
ゴルフクラブヘッドでは、特にアイアン型のゴルフクラブヘッドについて、そのフェース面にブラスト処理が施されることが多い（特許文献１及び２）。ブラスト処理は、フェース面の外観向上や、太陽光の反射抑制（眩しさの防止）、或いは、打球のバックスピン量の調整等を目的として行われる。
【先行技術文献】
【特許文献】
【０００３】
【特許文献１】特開平１０−２４８９７４号公報
【特許文献２】特開平１０−１７９８２４号公報
【発明の概要】
【発明が解決しようとする課題】
【０００４】
しかし、スコアラインが既に形成されたフェース面にブラスト処理を施すとスコアラインの縁や内壁も研磨されてしまい、スコアラインの形成精度に影響を与えることになる。この問題を解消するため、特許文献１にはスコアラインの形成前にフェース面にブラスト処理を施すことが提案されているが、製造工程の都合上、スコアラインの形成後にブラスト処理を施す必要がある場合がある。
【０００５】
本発明の目的は、スコアラインが既に形成されたフェース面に対して、スコアラインの形成精度に与える影響を低減してブラスト処理を施すことにある。
【課題を解決するための手段】
【０００６】
本発明によれば、スコアラインが形成されたフェース面をブラスト処理するゴルフクラブヘッドの処理方法において、ブラスト処理の前に、前記スコアラインをマスキング材で埋める工程と、ブラスト処理の後に、前記マスキング材を前記スコアラインから除去する工程と、を備えたことを特徴とするゴルフクラブヘッドの処理方法が提供される。
【発明の効果】
【０００７】
本発明によれば、スコアラインが既に形成されたフェース面に対して、スコアラインの形成精度に与える影響を低減してブラスト処理を施すことができる。
【図面の簡単な説明】
【０００８】
【図１】本発明の一実施形態に係るゴルフクラブヘッド１の外観図。
【図２】ゴルフクラブヘッド１の処理方法の説明図。
【図３】スコアライン２０をマスキング材３０で埋める工程の例を示す説明図。
【発明を実施するための形態】
【０００９】
図１は本発明の一実施形態に係るゴルフクラブヘッド１の外観図である。同図の例はアイアン型のゴルフクラブヘッドに本発明を適用した例を示す。本発明は、アイアン型のゴルフクラブヘッド、特に、ミドルアイアン、ショートアイアン、ウェッジ型のゴルフクラブヘッドに好適であり、具体的には、ロフト角が３０度以上７０度以下、ヘッド重量が２４０ｇ以上３２０ｇ以下のゴルフクラブヘッドに好適である。しかし、本発明はウッド型やユーティリティー型（ハイブリッド型）のゴルフクラブヘッドにも適用できる。
【００１０】
ゴルフクラブヘッド１は、そのフェース面（打撃面）１０に複数本のスコアライン２０が形成されている。各々のスコアライン２０はトウ−ヒール方向に延設された、互いに平行な直線状の溝である。本実施形態の場合、各々のスコアライン２０の配設間隔（ピッチ）は等間隔（等ピッチ）であるが、配設間隔が異なっていてもよい。
【００１１】
フェース面１０は、ブラスト処理により粗面化されている。フェース面１０による太陽光の反射を抑制する観点では、フェース面１０の表面粗さは、算術平均粗さで０．５μｍ以上４．０μｍ以下であることが好ましい。ブラスト処理に際しては、各種のブラスト材（研磨材）を用いることができるが、砂（サンドブラスト）を挙げることができる。
【００１２】
次に、図２を参照して、このブラスト処理に関わるゴルフクラブヘッド１の処理方法について説明する。図２（Ａ）は、スコアライン２０の、その長手方向（トウ−ヒール方向）に直交する方向の断面図であり、ブラスト処理前の状態を示す。スコアライン２０は、鍛造加工、切削加工等によりブラスト処理前に形成される。本実施形態の場合、スコアライン２０の断面形状は、その長手方向の両端部（トウ側端部、ヒール側端部）を除き、同じである。また、各々のスコアライン２０の断面形状は同じである。
【００１３】
本実施形態の場合、スコアライン２０は、一対の側壁２１と、底壁２２とを有し、その断面形状は左右対称な台形状に形成されている。なお、スコアライン２０の断面形状は台形状に限られず、Ｖ字状等、他の形状でもよい。スコアライン２０の縁２３には丸みが形成されているが、丸みを形成しない構成も採用可能である。
【００１４】
次に、図２（Ａ）の状態で、ブラスト処理前にスコアライン２０をマスキング材で埋める。図２（Ｂ）はスコアライン２０をマスキング材３０で埋めた状態を示す。マスキング材３０としては、水溶性固形物或いは熱溶融性固形物等の可溶性固形物を用いることができる。水溶性固形物としては塩や、砂等の粒状物と水溶性樹脂等の添加物との混合物を挙げることができる。熱溶融性固形物としては、油脂、蝋、ワックスを挙げることができ、特にパラフィンワックスが好適である。本実施形態ではマスキング材３０としてワックスを用いた場合を想定している。以下、マスキング材３０をワックス３０ともいう。
【００１５】
図３はマスキング材３０としてワックスを用いた場合の、スコアライン２０をマスキング材３０で埋める工程の例を示す説明図である。まず、図３（Ａ）に示すようにスコアライン２０を含むフェース面１０全体に溶解したワックス３０を塗布して被覆する。ワックス３０が軟化している間に図３（Ｂ）に示すようにへら４０等でフェース面１０上のワックス３０を剥ぎ取って除去し、スコアライン２０のみがワックス３０で埋まるようにする。その後、ワックス３０が硬化すると、図２（Ｂ）の状態となる。
【００１６】
次に、図２（Ｂ）の状態で、フェース面１０に対してブラスト処理を行う。スコアライン２０はマスキング材３０で埋まっているのでブラスト材はスコアライン２０内に進入することが阻害され、スコアライン２０内が粗面化されることが抑制される。こうして、スコアライン２０が既に形成されたフェース面１０に対して、スコアライン２０の形成精度に与える影響を低減してブラスト処理を施すことができる。
【００１７】
図２（Ｃ）は、ブラスト処理後の状態を示す。ブラスト処理の影響でスコアライン２０を埋めるマスキング材３０の上部は若干研磨されてへこんでいる。しかし、マスキング材３０の存在により、スコアライン２０の内壁（側壁２１、底壁２２）はブラスト処理により粗面化されず、その痕跡が存在しない。一方、スコアライン２０の縁２３に関しては、ブラスト処理の条件（ブラスト材やその噴射の条件等）や、使用するマスキング材３０の種類に依存するが、ブラスト処理の痕跡が存在する場合（特に、縁２３とフェース面１０との境界付近）がある。
【００１８】
ブラスト処理が終了すると、その後、マスキング材３０をスコアライン２０から除去する。マスキング材３０として可溶性固形物を用いた場合は、これを溶解させることにより比較的簡単に除去できる。本実施形態のようにマスキング材３０としてワックスを用いた場合は、フェース面１０或いはゴルフクラブヘッド１全体を加熱してワックスを溶融し、除去することができる。図２（Ｄ）は、マスキング材３０を除去した後の状態を示す。以上により、ブラスト処理に関わる処理が終了する。
【図１】
2011245133.tif 000003
【図２】
2011245133.tif 000004
【図３】
2011245133.tif 000005